(57)【要約】【課題】軽い力で車輪に対して駐車ブレーキをかけることのできる駐車ブレーキ構造を提供する。【解決手段】主車輪３０の回転軸と平行な軸を中心に回動自在であり、かつ主車輪３０の側部に接触しているサイドガイド部５０と、サイドガイド部５０と一体的に回動可能なタイヤ押さえ部６０と、を具備し、タイヤ押さえ部６０には、突部６１，６２が設けられており、突部６１，６２は、主車輪３０の正転初動時又は逆転初動時において主車輪３０の接地面部に食い込む。サイドガイド部５０と主車輪３０は、サイドガイド部５０が主車輪３０の回転に追従できる程度に互いに当接していればよい。【選択図】図１
2018089159.tif 000002
【特許請求の範囲】
【請求項１】
車いすの車輪に当接して当該車いすを停止させる車いす用駐車ブレーキ構造であって、
車いす本体に軸支された、前記車輪の車軸と平行な回動軸を中心に回動するサイドガイド部と、
前記サイドガイド部と連続しており、前記サイドガイド部と一体的に回動可能なタイヤ押さえ部と、
を具備し、
前記サイドガイド部は、前記車輪の側部に接触しており、
前記タイヤ押さえ部は、前記車輪の接地面部に対向して配置されており、かつ前記タイヤ押さえ部における前記車輪の接地面部に対向する対向面部には、前記車輪の回転方向において前記サイドガイド部の前記回動軸を挟んで一側と他側とに配された一対の突部が設けられており、
前記車輪の正転初動時又は逆転初動時に、前記車輪の回動に伴って前記サイドガイド部と前記タイヤ押さえ部とが回動することで前記タイヤ押さえ部の一対の突部のうちいずれかが前記車輪の接地面部に圧着して前記車輪を停止させてなる
ことを特徴とする車いす用駐車ブレーキ構造。
【請求項２】
前記サイドガイド部及び前記タイヤ押さえ部を、前記車輪に対して当該車輪の車軸の方向に沿って位置変更可能とする位置変更手段を備えている
請求項１に記載の車いす用駐車ブレーキ構造。
【発明の詳細な説明】
【技術分野】
【０００１】
本発明は、車いすの車輪に当接して当該車いすを停止させる車いす用駐車ブレーキ構造に関する。
【背景技術】
【０００２】
近年、タイヤのパンクに伴うメンテナンスの負担を軽減すべく、主車輪にノーパンクタイヤを用いた車いすが多く出回っている。
【０００３】
また、従来から提案されている一般的な車いすに用いられる駐車ブレーキとしては、例えば特許文献１に開示されているように、ブレーキシューをタイヤに直接圧接するものがある。
【０００４】
したがって、ノーパンクタイヤの車いすに上記のような駐車ブレーキを適用した構成もすでに知られている。
【先行技術文献】
【特許文献】
【０００５】
【特許文献１】特開２０１３−２２６１９１号公報
【発明の概要】
【発明が解決しようとする課題】
【０００６】
しかしながら、ノーパンクタイヤは従来のタイヤに比べて硬く、タイヤの回動を抑制できる程度にブレーキシューを圧接するためには駐車ブレーキにおける操作レバーを大きな力で操作する必要があり、使用者及び介護者にかかる負荷が大きいという問題があった。
【０００７】
そこで本発明は、軽い操作力で車輪に対して駐車ブレーキをかけることのできる車いす用駐車ブレーキ構造を提供することを目的とする。
【課題を解決するための手段】
【０００８】
本発明は、車いすの車輪に当接して当該車いすを停止させる車いす用駐車ブレーキ構造であって、車いす本体に軸支された、前記車輪の車軸と平行な回動軸を中心に回動するサイドガイド部と、前記サイドガイド部と連続しており、前記サイドガイド部と一体的に回動可能なタイヤ押さえ部と、を具備し、前記サイドガイド部は、前記車輪の側部に接触しており、前記タイヤ押さえ部は、前記車輪の接地面部に対向して配置されており、かつ前記タイヤ押さえ部における前記車輪の接地面部に対向する対向面部には、前記車輪の回転方向において前記サイドガイド部の前記回動軸を挟んで一側と他側とに配された一対の突部が設けられており、前記車輪の正転初動時又は逆転初動時に、前記車輪の回動に伴って前記サイドガイド部と前記タイヤ押さえ部とが回動することで前記タイヤ押さえ部の一対の突部のうちいずれかが前記車輪の接地面部に圧着して前記車輪を停止させてなることを特徴とする車いす用駐車ブレーキ構造である。
【０００９】
かかる構成にあって、前記車輪の側部に前記サイドガイド部が接触した状態で当該車輪が正転又は逆転しようとすると、前記サイドガイド部が、前記車輪が回転すると共に回動する。この際、前記サイドガイド部と一体的に回動するタイヤ押さえ部に設けられた一対の突部のうちいずれかが当該車輪の接地面部に圧着して食い込むことにより、当該車輪の回転が阻止される。ここで、前記サイドガイド部及び前記車輪は、前記サイドガイド部が前記車輪の回転に追従できる程度に互いに当接していればよく、車輪の側部にサイドガイド部が食い込む程強い力で互いに当接している必要はない。このため、駐車ブレーキをかける際に必要な力を従来構成に比して格段に低減することができる。
【００１０】
また、前記サイドガイド部及び前記タイヤ押さえ部を、前記車輪に対して当該車輪の車軸の方向に沿って位置変更可能とする位置変更手段を備えている構成が提案される。
【００１１】
かかる構成とすることにより、前記車輪と前記サイドガイド部との相対距離を微調整することができるため、前記車輪と前記サイドガイド部との接触状態を適正化することができる。
【発明の効果】
【００１２】
本発明にかかる車いす用駐車ブレーキ構造は、軽い操作力で車輪に対して駐車ブレーキをかけることができる優れた効果がある。
【図面の簡単な説明】
【００１３】
【図１】実施例１にかかる車いす用駐車ブレーキ構造の一部切欠側面図である。
【図２】実施例１にかかるブレーキ部材を示し、（ａ）は平面図、（ｂ）は側面図、（ｃ）は背面図である。
【図３】実施例１にかかる駐車状態としたときの車いす用駐車ブレーキ構造を示す一部切欠側面図である。
【図４】実施例１にかかる正転初動時の車いす用駐車ブレーキ構造を示す一部切欠側面図である。
【図５】実施例１にかかる逆転初動時の車いす用駐車ブレーキ構造を示す一部切欠側面図である。
【図６】変形例にかかるブレーキ部材の背面図である。
【発明を実施するための形態】
【００１４】
以下、本発明にかかる車いす用駐車ブレーキ構造（以下、駐車ブレーキ構造と適宜いう。）を具体化した実施例を詳細に説明する。なお、本発明は、下記に示す実施例に限定されることはなく、適宜設計変更が可能である。例えば、実施例の車いすの主車輪はノーパンクタイヤが使用されるものとして説明するが、これに限定されることはない。
【００１５】
また、本実施例においては左側の主車輪に用いられる駐車ブレーキ構造について説明する。右側の主車輪に用いられる駐車ブレーキ構造は左右対称形状とすればよく、説明を省略する。
【００１６】
〔実施例１〕
図１に示すように、車いす本体を構成するフレーム１０には矩形板状のプレート１１が固着されている。そしてさらに、プレート１１における主車輪３０側に向く表面には、駐車ブレーキ構造２０が配設されている。
【００１７】
駐車ブレーキ構造２０は、プレート１１に固着された板状のベース部材２１を備えている。また、ベース部材２１には、使用者や介護者が操作する棒状の操作レバー２２が軸支されている。さらに、操作レバー２２の基端部２２０には、カム部材２３が取り付けられている。
【００１８】
また、ベース部材２１には、基端部２４０が軸支されたほぼ「く」の字形状の支持部材２４が配設されている。この支持部材２４のほぼ中央には、円板形状のカム受け部材２４ａが配設されており、このカム受け部材２４ａと上述のカム部材２３とが当接している。また、支持部材２４の先端部には、主車輪３０に当接自在なブレーキ部材４０が接続されている。なお、本実施例における主車輪３０は、いわゆるノーパンクタイヤが使用されている。
【００１９】
かかる構成にあって、操作レバー２２をベース部材２１に対して前方又は後方に傾動させると、カム部材２３とカム受け部材２４ａとが連動し、支持部材２４が基端部２４０を中心に回動する。これにより、支持部材２４の先端部に接続されているブレーキ部材４０が主車輪３０に対して離開又は接近し、主車輪３０から離開した離脱状態と、主車輪３０に当接する装着状態とに切り替えられる。かかる機構により、ブレーキ部材４０を主車輪３０に対して脱着可能とする脱着手段８０が構成されている。
【００２０】
次に、本発明の要部について説明する。
【００２１】
ブレーキ部材４０は、図２に示すように、略コの字形状の板材からなるサイドガイド部５０を備えている。このサイドガイド部５０は、支持部材２４の先端部において軸ピン２５を介して軸支されている。具体的には、図１等に示すように、主車輪３０の車軸と平行な軸ピン２５がサイドガイド部５０に差し渡されていると共に、この軸ピン２５に支持部材２４の先端部が貫設されている。なお、前記軸ピン２５により、サイドガイド部５０の回動軸が構成される。
【００２２】
また、サイドガイド部５０は、中央部５０ａから左右方向に沿って延出形成された左右一対の突出部５１，５１を有しており、かかる突出部５１，５１が、主車輪３０の両側部に向かって各々突き出されている。さらに、各突出部５１の先端には、円板形状の当接部５２が取り付けられている。
【００２３】
また、サイドガイド部５０の中央部５０ａには、角筒形状のタイヤ押さえ部６０が固着されている。すなわち、タイヤ押さえ部６０はサイドガイド部５０と連続しており、かつ軸ピン２５に軸支されてサイドガイド部５０と一体的に回動可能となっている。
【００２４】
また、タイヤ押さえ部６０は、主車輪３０における走行時に接地する接地面部に対向して配置されている。また、タイヤ押さえ部６０における主車輪３０の接地面部に対向する対向面部には、一対の突部６１，６２が設けられている。具体的に一対の突部６１，６２は、前記接地面部に向かって突出していると共に、主車輪３０の回転方向に沿って配置されており、さらに前記軸ピン２５を挟んで上側（一側）と下側（他側）とに配置されている。そして、タイヤ押さえ部６０の上辺部が上側突部６１とされ、下辺部が下側突部６２とされている。
【００２５】
次に、駐車ブレーキ構造２０の作動態様を図３等に従って説明する。
【００２６】
主車輪３０に駐車ブレーキをかける場合には、図３に示すように、操作レバー２２を操作してブレーキ部材４０を主車輪３０に装着する。そうすると、ブレーキ部材４０におけるサイドガイド部５０の当接部５２が主車輪３０の側部に押し当てられる。なお、当接部５２は設けなくても問題ないが、サイドガイド部５０と別部材で構成することにより、ブレーキ部材４０と主車輪３０との密着度合いを高めうる点、交換可能としてメンテナンス作業を容易とする点、及び互いに厚みが異なるものと交換可能として主車輪３０の車輪巾に対応しうるようにした点において、優れた効果がある。
【００２７】
そして、この状態で仮に主車輪３０が正転（図３中反時計回りに回転）しようとした正転初動時には、図４に示すように、サイドガイド部５０が主車輪３０に追従して回動して、主車輪３０の正転方向にタイヤ押さえ部６０が傾動する。そうすると、タイヤ押さえ部６０の上側突部６１が主車輪３０の接地面部に圧着して食い込む。かかる状態にあっては、主車輪３０の回転が阻止されて、当該車いすが確実に停止する。
【００２８】
一方、ブレーキ部材４０を主車輪３０に装着した状態で、主車輪３０が逆転（図３中時計回りに回転）しようとした逆転初動時には、図５に示すように、サイドガイド部５０が主車輪３０に追従して回動して、主車輪３０の逆転方向にタイヤ押さえ部６０が傾動する。そうすると、タイヤ押さえ部６０の下側突部６２が主車輪３０の接地面部に圧着して食い込む。かかる状態にあっては、主車輪３０の回転が阻止されて、当該車いすが確実に停止する。
【００２９】
これまでに述べた構成にあっては、サイドガイド部５０と主車輪３０は、サイドガイド部５０が主車輪３０の回転に追従できる程度に互いに当接していればよく、主車輪３０に対して食い込む程強い力で当接している必要はない。このため、駐車ブレーキをかける際に必要な力が、従来構成に比して格段に低減される。なお、駐車状態において、主車輪３０が回転しようとする程上側突部６１又は下側突部６２が主車輪３０に一層食い込むため、ますます車いすを停止させる力が向上して安全性が高まる。
【００３０】
また、以下のような変形例が提案される。
【００３１】
すなわち、ブレーキ部材４０を、主車輪３０の車軸に沿う方向に位置変更可能とし、サイドガイド部５０と主車輪３０との相対位置を変更自在とする位置変更手段９０が設けられた構成が提案される。
【００３２】
具体的には、図６に示すように、タイヤ押さえ部６０内において、前記支持部材２４の先端部が軸ピン２５に沿って左右に相対移動可能となっている。かかる構成とすることにより、タイヤ交換時や走行時において主車輪３０とタイヤ押さえ部６０との離間距離が変動した場合にも、主車輪３０に追従してブレーキ部材４０の位置を左右方向（車軸方向）に位置変更させることができる。特に、走行時において、車軸方向に移動自在なブレーキ部材４０が主車輪３０に対して自動的に追従する構成は、ブレーキ部材４０にかかるメンテナンス等の作業負担が軽減される利点がある。
【００３３】
かかる構成とすることにより、仮に主車輪３０を交換した場合などにおいて、主車輪３０とサイドガイド部５０との相対的な距離が微小に変更された場合にも、主車輪３０とサイドガイド部５０との接触状態を柔軟に適正化することができる。
【００３４】
上記した実施例１及び変形例以外においても、各部の寸法形状は適宜自由に設定可能である。
【００３５】
また、位置変更手段９０は、例えば軸ピン２５の車軸方向を長手方向とする長孔がタイヤ押さえ部６０に設けられており、該長孔内の適正位置で、タイヤ押さえ部６０に配設されたネジをネジ止めする構成であっても構わない。
【符号の説明】
【００３６】
１０    フレーム
１１    プレート
２０    車いす用駐車ブレーキ構造
２１    ベース部材
２２    操作レバー
２３    カム部材
２４    支持部材
２４ａ  カム受け部材
２５    軸ピン（回動軸）
３０    主車輪
４０    ブレーキ部材
５０    サイドガイド部
５０ａ  中央部
５１    突出部
５２    当接部
６０    タイヤ押さえ部
６１    上側突部（突部）
６２    下側突部（突部）
８０    脱着手段
９０    位置変更手段
２２０  基端部
２４０  基端部
【図１】
2018089159.tif 000003
【図２】
2018089159.tif 000004
【図３】
2018089159.tif 000005
【図４】
2018089159.tif 000006
【図５】
2018089159.tif 000007
【図６】
2018089159.tif 000008